(57)【要約】【課題】  本発明は、振動により、締め付けたねじの緩みを阻止する緩み止めナットを提供する。【解決手段】  互いに、同心に、はまり合うナット１とボルト５の内、ナット１に於いて、頂面付近のねじ山１０は、圧力側フランク２の中間部の谷底７寄りに、凸部９を設けている。この凸部９の両側に切れ目１３を入れて、ねじ山１０から分轄した曲げ片３を有している。さらに、曲げ片３は、付け根付近にも、周方向へ切れ目１３’を設けている。締め付け状態になると、曲げ片３の凸部９は、ボルト５の圧力側フランク６に押圧され、山の頂４が、ボルト５の遊び側フランク１２を強圧する。この状態にすることで、ねじ山１０のぶれをなくして、緩みを止めるようにしている。【選択図】  図１
2018100765.tif 000002
【特許請求の範囲】
【請求項１】
互いに、同心に、ねじ合うナットとボルトの内、前記ナットに於いて、頂面付近のねじ山には、圧力側フランクの中間部に凸部を有し、この凸部の両側を切削して、前記ねじ山から分轄した曲げ片を形成し、尚且つ、この曲げ片は、付け根付近にも、周方向へ切削した形状を有したことを特徴とする緩み止めナット。
【請求項２】
前記ナットは、前記ねじ山の複数の個所に、前記曲げ片を設けたことを特徴とする請求項１に係る緩み止めナット。
【発明の詳細な説明】
【技術分野】
【０００１】
本発明は振動下に於ける緩みを抑える緩み止めナットに関するものである。  
【背景技術】
【０００２】
従来、ねじは被締結部材を締め付けても振動等の要因で緩んでしまう。この緩みを防ぐために、ナイロンインサート付き六角ボルトや全金属製六角ナットのプリべリングトルク形戻り止めナットを使用していた。
【０００３】
その他に、特許文献１に、ナットの圧力側フランクの山側部と谷側部とに、つる巻き線に沿った一対の凹部溝を形成した締結用ボルト及び該締結用ボルトを用いたねじ締結体が開示されている。特許文献２に、ボルトのねじ山を、ナットのねじ山より小さいフランク角で形成したねじ部材が開示されている。
【先行技術文献】
【特許文献】
【０００４】
【特許文献１】特開２０１２−７２８３７号公報
【特許文献２】特開２００３−４２１３０号公報
【発明の開示】
【発明が解決しようとする課題】
【０００５】
しかしながら、従来、おねじと螺合対象のめねじとの間に相対的に軸同士の傾きや位置ずれがあると緩みの原因になる。特許文献１、２、では、軸線が傾く可能性があり、緩み止め効果は十分ではない。その為、本発明の根底をなす課題は、単純な形状で、尚且つ、製造コストも安価で、簡単な作業で締め付けることができる緩み止めナットを提供することを目的とする。
【課題を解決するための手段】
【０００６】
そこで本発明にあっては、上記課題を解決するために講じた本発明の手段は次のとおりである。第一手段にあっては、互いに、同心に、ねじ合うナットとボルトの内、前記ナットに於いて、頂面付近のねじ山には、圧力側フランクの中間部に凸部を有し、この凸部の両側を切削して、前記ねじ山から分轄した曲げ片を形成し、尚且つ、この曲げ片は、付け根付近にも、周方向へ切削した形状を有したことを特徴とする緩み止めナットである。
【０００７】
これによれば、前記曲げ片の前記凸部は、前記圧力側フランクの中間部の谷底寄りに設けられている。また、前記曲げ片は、前記凸部の両側に、山の頂部分から前記側面方向へ切れ目を入れて前記ねじ山から分轄した前記曲げ片となっている。さらに、この曲げ片の付け根付近にも、周方向へ切れ目を入れてあり、深さは、ねじのつる巻き線に沿って、軸の周りを一周した時、軸方向に進む距離より、やや浅い距離とするのが望ましい。前記凸部は、軸心と平行方向に、凸起している。この凸部の高さは、前記ボルトに前記ナットをねじ込む際に、前記ボルトの圧力側フランクに、この凸部の頂が、かすめる程度の高さになっている。前記ナットの前記ねじ山の前記凸部は、梃子の原理を利用したものであり、前記凸部を支点として、前記山の頂側を重点としている。
【０００８】
従来のねじの締め付けは、前記ボルトと前記ナットがねじ合った時、各々の前記圧力側フランク同士が密着する。この時、各々の遊び側フランク同士は、隙間ができるようになっている。この隙間があるために、振動が加わると、前記ボルトのねじ山、または、前記ナットのねじ山がバウンドしながら、ぶれるようになる。、このぶれによって緩みが生じるようになる。そこで、前記曲げ片を設けて、ぶれをなくすようにしている。
【０００９】
まず、前記ボルトの圧力側フランクと前記ナットの圧力側フランクが、締め付けによって密着すると、前記ボルトの圧力側フランクに、前記曲げ片の前記凸部が押圧される。この押圧によって、前記曲げ片の山の頂部分が、しなうようにして前記ボルトの遊び側フランクを圧するようになる。この圧によって、軸心に直角な方向へ、ぶれをなくすことができるため、緩むことがない。
【００１０】
従来のねじの締め付け後は、締め付け方向に、反する方向の緩む方向への圧力がかかっている。このため、振動が生じると、振動が手助けになり緩むようになる。そこで、前記曲げ片の山の頂部分が前記ボルトの遊び側フランクへ圧力がかかるようにして、振動が生じても、前記ボルトの前記遊び側フランクを抑え込むため、緩みを止めることができる。
【００１１】
第二手段にあっては、前記ナットは、前記ねじ山の複数の箇所に、前記曲げ片を設けたことを特徴とする第一手段にかかる緩み止めナットである。
【００１２】
これによれば、前記曲げ片を複数個所に設けることで、締め付け時、複数の前記凸部が、前記ボルトの圧力側フランクに押圧され、前記山の頂部分が、しなりながら前記ボルトの遊び側フランクを複数の箇所で、強圧するようになる。例えば、軸心から見て、四方向に前記曲げ片を設けると、この曲げ片の山の頂部分が、四方向から前記ボルトの遊び側フランクを抑圧した状態になっているため、ずれはなく、より強力な緩みのないものにすることができる。
【００１３】
前記ボルトと前記ナットで被締結部材を締め付けた場合、前記ボルトの圧力側フランクと前記ナットの圧力側フランク同士が合致した状態になり、前記凸部は、前記ボルトの圧力側フランクに、押圧され、前記曲げ片の前記山の頂部分が、前記ボルトの遊び側フランクを強圧するようになる。
【００１４】
本案の緩み止めナットを、実施例として説明すれば、被締結部材を前記ボルトと前記ナットで、締め付けると、前記ナットのねじ山は、前記ボルトの遊び側フランク寄りを、通行しながら、ねじ込むようになり、締め付けた状態になると、前記ボルトの圧力側フランクと前記ナットの圧力側フランクとが密着する。同時に、前記曲げ片の前記山の頂部分が、前記ボルトの遊び側フランクを、四方から強圧する。これにより、振動が生じても緩みが阻止されるようになる。                      
【発明の効果】
【００１５】
本発明によれば、前記ボルトと前記ナットによる被締結部材の締め付けは、特に、小細工は必要なく、工具で締め付けるだけで、前記ナットの前記凸部が押圧され、それによって、前記山の頂が、前記ボルトのねじ山の遊び側フランクを抑圧するようになっているため、振動が生じても、ぶれることがなくなり、緩みを抑止する。また、製造する場合にも、低コストで技術的に簡単な作業で作ることができる。
【図面の簡単な説明】
【００１６】
【図１】本発明に係る緩み止めナットの概略平面図である。
【図２】本発明に係る緩み止めナットの締め付けた状態の一部分の拡大断面図である。
【図３】本発明に係る緩み止めナットの締め付け途中の一部分の拡大断面図である。
【図４】本発明に係る緩み止めナットの図１に示すA−A線の概略断面図である。
【発明を実施するための形態】
【００１７】
本発明の実施の形態について、図面に従って詳細に説明すれば、図１は、本発明の実施例を表す形態の緩み止めナット１の概略平面図を示す。ナット１の頂面近傍のねじ山１０は、圧力側フランク２の中間部の谷底７寄りに、凸部９を設けている。この凸部９の両側に、切れ目１３をして、ねじ山１０から分轄した曲げ片３を設けている。凸部９及び９’を有する曲げ片３は、四か所に設けるのが望ましい。凸部９の高さは、ボルト５とナット１で締め付け中に於いて、ボルト５の圧力側フランク６に凸部９の頂が、かする程度の高さを有している。この凸部９は、ボルト５の圧力側フランク６を押圧した時、曲げ片３が、しなうようになり、山の頂４部分で、ボルト５の遊び側フランク１２を強圧するようになっている。また、曲げ片３は、付け根付近の遊び側フランク８方の谷底７近傍まで切れ込みをした深さを有している。この、切れ込みは、周方向に切れ目１３’を入れた形状になっている。
【００１８】
図２は、ナット１とボルト５とを、嵌め合せた締結状態の一部分を拡大した断面図である。曲げ片３の凸部９が、ボルト５の圧力側フランク６に押圧されて、山の頂４部分が遊び側フランク１２を圧した状態になっている。図３は、図２のナット１とボルト５とを、嵌め合わせた締結途中の状態の一部分を拡大した断面図を示している。
【００１９】
図４は、緩み止めナットの図１に示すA−A線の矢印方向を見た断面図である。曲げ片３の両側の切れ目１３の深さは、このねじのつる巻き線に沿って、軸の周りを一周する時、軸方向に進む距離と同じ距離とするのが望ましく、切れ目１３’は、切れ目１３より、やや浅い距離とするのが望ましい。また、曲げ片３の幅は、この距離の二〜三倍とするのが望ましい。締め付けた状態の時、ナット１の曲げ片３の凸部９が、ボルト５の圧力側フランク６に押圧されると、山の頂４が押し下げられる形状になっている。
【００２０】
本発明に係る緩み止めナットの使用に際しては、ナット１とボルト５で被締結部材１１を締め付けるだけで緩み防止が得られる。
【００２１】
又、本発明は、上記実施の形態や実施例には限定されるものではなく、例えば、曲げ片３の付け根付近の切れ目１３’から外方向を切削した形状にしてもよい。あるいは、材料をプラスチック、鉄、ステンレスにする等、特許請求の範囲において、各部材の形状や素材等、適宜変更可能である。
【符号の説明】
【００２２】
１                    ナット
２                    ナットの圧力側フランク
３                    曲げ片
４                    曲げ片の山の頂
５                    ボルト
６                    ボルトの圧力側フランク
７                    谷底      
８                    ナットの遊び側フランク                    
９                    凸部
９’                  凸部
１０                  ねじ山
１１                  被締結部材                
１２                  ボルトの遊び側フランク
１３                  切れ目
１３’                切れ目
１４                  側面
【図１】
2018100765.tif 000003
【図２】
2018100765.tif 000004
【図３】
2018100765.tif 000005
【図４】
2018100765.tif 000006